(57)【要約】【課題】マウントアングルの取付位置にズレが生じることのない電気機器収納用箱を提供する。【解決手段】筐体内に電気機器を取付けるためのマウントアングル５を備え、このマウントアングル５の取付位置を筐体内で変更可能とした電気機器収納用箱であって、筐体の上下には、マウントアングル５の取付位置を表示するとともに隣り合う表示を異ならせた表示部１３を一対に設け、さらに表示部１３の同一表示を同一垂直線上に配置した。【選択図】図３
2017084860.tif 000002
【特許請求の範囲】
【請求項１】
筐体内に電気機器を取付けるためのマウントアングルを備え、
このマウントアングルの取付位置を筐体内で変更可能とした電気機器収納用箱であって、
前記筐体の上下には、マウントアングルの取付位置を表示するとともに隣り合う表示を異ならせた表示部を一対に設け、
さらに前記表示部の同一表示を同一垂直線上に配置したことを特徴とする電気機器収納用箱。
【請求項２】
前記表示部は、奥行フレームに固定されるとともに前記マウントアングルが取付けられる上下一対の固定部材の表面に形成されていることを特徴とする請求項１記載の電気機器収納用箱。
【請求項３】
前記表示部は、マウントアングルを取付けるためのマウントアングル取付孔と同一面に形成されていることを特徴とする請求項１または２記載の電気機器収納用箱。
【請求項４】
前記表示部は、マウントアングルの側面のうち少なくとも２面に囲われていることを特徴とする請求項１乃至３の何れかに記載の電気機器収納用箱。
【請求項５】
前記表示部は、固定部材の中央位置を基準として長手方向に線対称となるよう形成されていることを特徴とする請求項２乃至４の何れかに記載の電気機器収納用箱。
【発明の詳細な説明】
【技術分野】
【０００１】
本発明は、内部にマウントアングルを備えた電気機器収納用箱に関するものである。
【背景技術】
【０００２】
電気機器収納用箱の内部には、電気機器を取付けるためのマウントアングルが筐体上下方向に設けられている。このマウントアングルは上下の奥行フレームに固定されるものであり、また奥行フレームには前記マウントアングルを取り付けるためのマウントアングル取付孔がその長手方向に亘って複数形成されている。このようにマウントアングル取付孔を複数形成することで、奥行フレームに対するマウントアングルの取付位置を筐体前後方向に変更可能とし、これにより収納される電気機器のサイズ変更等に対応できるものとしている（特許文献１）。
【０００３】
しかしながら前記構造においては、マウントアングルが垂直に取付けられるよう、対応する上下のマウントアングル取付孔を目視によりそれぞれ適切に選択する必要があり、仮に上下のいずれか一方のマウントアングル取付孔を誤って選択してしまうと、マウントアングルの取付位置にズレが生じ、マウントアングルが斜めに取付けられてしまう問題があった。
【先行技術文献】
【特許文献】
【０００４】
【特許文献１】特開２００１−３４５５８２号公報
【発明の概要】
【発明が解決しようとする課題】
【０００５】
本発明の目的は前記した従来の問題点を解決し、マウントアングルの取付位置にズレが生じることのない電気機器収納用箱を提供することである。
【課題を解決するための手段】
【０００６】
上記課題を解決するためになされた本発明は、筐体内に電気機器を取付けるためのマウントアングルを備え、このマウントアングルの取付位置を筐体内で変更可能とした電気機器収納用箱であって、前記筐体の上下には、マウントアングルの取付位置を表示するとともに隣り合う表示を異ならせた表示部を一対に設け、さらに前記表示部の同一表示を同一垂直線上に配置したことを特徴とするものである。
【０００７】
請求項２記載の発明は、請求項１記載の電気機器収納用箱において、前記表示部は、奥行フレームに固定されるとともに前記マウントアングルが取付けられる上下一対の固定部材の表面に形成されていることを特徴とするものである。
【０００８】
請求項３記載の発明は、請求項１または２記載の電気機器収納用箱において、前記表示部は、マウントアングルを取付けるためのマウントアングル取付孔と同一面に形成されていることを特徴とするものである。
【０００９】
請求項４記載の発明は、請求項１乃至３の何れかに記載の電気機器収納用箱において、前記表示部は、マウントアングルの側面のうち少なくとも２面に囲われていることを特徴とするものである。
【００１０】
請求項５記載の発明は、請求項２乃至４の何れかに記載の電気機器収納用箱において、前記表示部は、固定部材の中央位置を基準として長手方向に線対称となるよう形成されていることを特徴とするものである。
【発明の効果】
【００１１】
本発明に係る電気機器収納用箱は、筐体の上下にマウントアングルの取付位置を表示するとともに隣り合う表示を異ならせた表示部を一対に設け、さらに表示部の同一表示を同一垂直線上に配置するものとした。これにより、上下の表示部の表示が同一となる位置にマウントアングルを取り付けることで、位置ズレを生じさせることなくマウントアングルを垂直に取付けることができるものとなる。また、マウントアングルの取付ミスを確実に防止して、作業時間を短縮することができる。
【００１２】
請求項２に係る発明のように、表示部は、奥行フレームに固定されるとともにマウントアングルが取付けられる上下一対の固定部材の表面に形成されるものとすれば、固定部材によりマウントアングルを保持しつつ表示部の表示が確認可能となるため、表示部専用の部材が不要となり部品点数を削減できる利点がある。
【００１３】
請求項３に係る発明のように、表示部をマウントアングル取付孔と同一面に形成することで、マウントアングルを取り付ける際に、表示部の表示とマウントアングル取付孔の位置とを同時に確認することができるものとなり、マウントアングルの取付位置のズレをより確実に防止することができる。
【００１４】
請求項４に係る発明のように、表示部はマウントアングルの側面のうち少なくとも２面に囲われるものとすることで、マウントアングル取付時に筐体の内側から表示部の表示を視認することができるものとなり、表示の選択ミスを確実に防止することができる。
【００１５】
請求項５に係る発明は、表示部を固定部材の中央位置を基準として長手方向に線対称となるよう形成したものである。これにより、単に数字やアルファベットを順に羅列して表示部を構成する場合と比較すると、固定部材に設けられた表示部の並びが同一となるため、この固定部材を筐体の左右にそれぞれ配置した際に、左右の取付位置を即座に判断することができることとなり、作業性が向上する。
【図面の簡単な説明】
【００１６】
【図１】本実施形態の全体斜視図である。
【図２】図１に扉や側板等を取付けた状態を示す斜視図である。
【図３】本発明の要部を示す分解斜視図である。
【図４】図３を別角度からみた分解斜視図である。
【図５】本発明の要部を示す斜視図である
【図６】固定部材の斜視図である。
【図７】固定部材の上面図である。
【図８】上下の固定部材を示す斜視図である。
【図９】マウントアングル取付時の上面図である。
【図１０】固定部材を奥行フレームと一体に形成した図である。
【図１１】下側の固定部材を示す断面図である。
【発明を実施するための形態】
【００１７】
以下に本発明の好ましい実施形態を示す。なお、本明細書において上下、左右、前後方向は図１に示す方向を指すものとする。
図１において、電気機器収納用箱は、縦フレーム２と横フレーム３と奥行フレーム４とを枠状に組み合わせて、図２のように天井板２０、扉２１、側板２２、及び背面板２３を取付けた筐体１により構成されており、その内部には図示しない電気機器が収納される。また電気機器は、縦フレーム２と同一方向、即ち上下方向に延びる水平断面略Ｓ字状のマウントアングル５に取付けられる。
【００１８】
マウントアングル５の上下端部は、図１に示すように、筐体１の上下に設けられた垂直断面略コ字状の固定部材６にそれぞれ固定される。この固定部材６は上下の奥行フレーム４にそれぞれ取付けられるものであり、図３のようにその長手方向に亘ってマウントアングル５を取り付けるためのマウントアングル取付孔７が複数形成されており、これによりマウントアングル５の取付位置を筐体１内で変更可能となる。
【００１９】
なお、筐体１は本実施形態のように各フレームを枠状に組み合わせて構成されるものに限定されず、その他にもフレームを有さないモノコック式の筐体であっても良い。斯かる場合、筐体１の底部を構成する底板の奥行部に固定部材６を取付けることができる。
【００２０】
図３に示すように、固定部材６はマウントアングル５が載置される上面８と、上面８の左右端部から下方に延設される立上片９とを有している。また上面８には、前述した複数のマウントアングル取付孔７が前後方向に亘って等間隔で形成されている。このマウントアングル取付孔７には、図４に示すマウントアングル５の下端に形成された凸部１０が挿通され、図５に示す固定状態となる。なお、マウントアングル５の下端には前後方向に並列配置された２つの引掛部１１が形成されており、この引掛部１１が固定部材６に形成された係止部１２に係止されることによっても両者の固定がなされるが、その詳細については後述する。
【００２１】
図６及び図７に示すように、固定部材６の上面８のうちマウントアングル取付孔７間には、隣り合う表示を異ならせた表示部１３が長手方向に亘って複数形成されている。この表示部１３は、それぞれ抜き加工を施すことで形成されるものとしているが、その他にもシール貼付やレーザ印字により形成するものあっても良い。また本実施形態では、図７中の左から四角、丸、三角の図形を順に配置して、隣り合う表示を異ならせている。なお、図形の他にも、数字やアルファベットにより表示部１３を構成しても差し支えない。さらに、表示部１３の形成位置は固定部材６の上面８に限定されず、固定部材６の側面であっても良く、また表示部１３は複数個所に設けても良い。
【００２２】
そして図８に示すように、上下に設けられた各々の固定部材６に形成された表示部１３が、上下一対、即ち同一の表示が同一垂直線上に配置されるものとしている。このような構成により、上下の表示部１３の表示が同一となる位置にマウントアングル５を取り付けることで、位置ズレを生じさせることなくマウントアングル５を垂直に取付けることができるものとなる。また、マウントアングル５の取付ミスを確実に防止して、作業時間を短縮することができる。
【００２３】
また、固定部材６に表示部１３を形成することで、マウントアングル５を保持しつつ表示部１３の表示が確認可能となるため、表示部専用の部材が不要となり部品点数を削減できる利点がある。さらに、図８のように表示部１３をマウントアングル取付孔７が形成された面と同一面である上面８に形成することで、マウントアングル５を取り付ける際に、下側に配置される固定部材６については上から見下ろして表示部１３の表示とマウントアングル取付孔７の位置とを同時に確認することができるものとなり、マウントアングル５の取付位置のズレをより確実に防止することができるものとしている。なお、上側に配置される固定部材６については、その下面１７に表示部１３とマウントアングル取付孔７を形成するものとし、マウントアングル５取付時には、固定部材６を下から見上げるようにして表示部１３の表示とマウントアングル取付孔７の位置とを同時に確認することができるものとしている。
【００２４】
本実施形態において、マウントアングルは図９に示すように水平断面略Ｓ字状に形成されている。ここで、マウントアングル５は筐体１の内側（図９における紙面下方）から取付けられることが一般的である。したがって、表示部１３がマウントアングル５の側面の３面に囲われるものとすることで、マウントアングル５取付時に筐体１の内側から表示部１３の表示を視認することができるものとなり、表示の選択ミスを確実に防止することができる。なお、マウントアングル５は水平断面略Ｌ字状や略コ字状に形成されることもあり、この場合は表示部１３がマウントアングル５の側面のうち２面に囲われるものとすることが好ましい。
【００２５】
また図７に示すように、表示部１３は固定部材６の中央位置を基準として長手方向に線対称となるよう形成している。これにより、単に数字やアルファベットを順に羅列して表示部１３を構成する場合と比較すると、固定部材６に設けられた表示部１３の並びが同一となるため、この固定部材６を筐体１の左右にそれぞれ配置した際に、左右の取付位置を即座に判断することができることとなり、作業性が向上する。なお、本実施形態では図７中の左から、マウントアングル取付孔７、表示部１３（四角）の順に形成しているが、反対に表示部１３（四角）から形成しても差し支えないことは言うまでもない。
【００２６】
なお、本実施形態では、奥行フレーム４と固定部材６とを別部材により構成しているが、図１０のように一体に形成しても良い。さらに固定部材６を省略することもでき、この場合は奥行フレーム４に直接表示部１３を形成することとなる。斯かる場合であっても、奥行フレーム４にマウントアングル取付孔７を形成することで、マウントアングル５の取付位置を筐体１内で変更可能となる。
【００２７】
以下には、マウントアングル５と固定部材６との固定構造を説明する。
図３のように、固定部材６のうち上面８と立上片９との角部には、前述した係止部１２が形成され、また係止部１２には、下方に向かって徐々に幅狭となる溝部１４が連通して形成されている。またマウントアングル５の下端に形成された２つの引掛部１１は、マウントアングル５の側面の一部を筐体１外側方向に傾斜するよう折り曲げてマウントアングル５の側面から凹むように形成した板状のものである。そしてこの引掛部１１の下端には、引掛部１１よりも幅狭に形成した板状の補強片１５が、マウントアングル５の側面とつながるように一体に形成されている。
【００２８】
ここで、引掛部１１の前後方向の幅は係止部１２に挿通可能な幅とし、補強片１５の前後方向の幅は溝部１４に挿通可能な幅としている。また、溝部１４の上部と係止部１２とが連通する連通部１６の幅は、引掛部１１よりも幅狭に形成するものとしてあり、また立上片９のうち連通部１６が形成された箇所には係止片９ａが突出して形成されている。
【００２９】
したがって、固定部材６に形成された係止部１２及び溝部１４に、マウントアングル５に形成された引掛部１１及び補強片１５を上方から挿入することで、図１１のように引掛部１１と連通部１６との距離が徐々に短くなり、マウントアングル５が固定部材６側に徐々に引き寄せられることとなる。そして、補強片１５が溝部１４の最下端まで到達すると、引掛部１１の筐体１内側に臨む面が、立上片９に形成された係止片９ａの内面と当接して係止されることとなる。即ち、固定部材６の立上片９はマウントアングル５の側面と引掛部１１との間に挟持されることとなる。なお、溝部１４は上方が広く、かつ下方に向かって徐々に幅狭となるよう形成されているため、挿通された補強片１５を容易にガイドできるものとしている。
【００３０】
以上は下側の固定部材６の固定構造であるが、上側の固定部材６においても、マウントアングル５に形成した引掛部１１が固定部材６の係止部１２及び溝部１４に挿入されて係止される構造は同様である。ただし、溝部１４が立上片９の延設方向と対向するように、下方向に形成されている点で、下側の固定部材６と相違する。
【符号の説明】
【００３１】
１  筐体
２  縦フレーム
３  横フレーム
４  奥行フレーム
５  マウントアングル
６  固定部材
７  マウントアングル取付孔
８  上面
９  立上片
９ａ  係止片
１０  凸部
１１  引掛部
１２  係止部
１３  表示部
１４  溝部
１５  補強片
１６  連通部
１７  下面
２０  天井板
２１  扉
２２  側板
２３  背面板
【図１】
2017084860.tif 000003
【図２】
2017084860.tif 000004
【図３】
2017084860.tif 000005
【図４】
2017084860.tif 000006
【図５】
2017084860.tif 000007
【図６】
2017084860.tif 000008
【図７】
2017084860.tif 000009
【図８】
2017084860.tif 000010
【図９】
2017084860.tif 000011
【図１０】
2017084860.tif 000012
【図１１】
2017084860.tif 000013